(57)【要約】【課題】尿とりパッドを用いることなく、交換作業の容易化と交換頻度の低減を図ることができる紙おむつを提供する。【解決手段】紙おむつ１は、股下部２５において前後方向に分離、連結できる。下腹部を覆う前部２０と臀部を覆う後部１０に分離、連結できる。前部２０は、前身頃２１及び股下部２５を有し、後部１０は、後身頃１１及び股下部２５に係止するカバー部１５を有する。後部１０は、後身頃１１の上部両側から延出して、下腹部において互いに係止する帯体１７を有する。前部２０は、帯体１７の外面に係止する。【選択図】図１
2019013603.tif 000002
【特許請求の範囲】
【請求項１】
股下部において前後方向に分離、連結できることを特徴とする紙おむつ。
【請求項２】
下腹部を覆う前部と臀部を覆う後部を備え、
前記前部と前記後部を分離、連結できることを特徴とする請求項１に記載の紙おむつ。
【請求項３】
前記前部は、前身頃と、股下部と、を有し、
前記後部は、後身頃と、前記股下部に係止するカバー部と、を有することを特徴とする請求項２に記載の紙おむつ。
【請求項４】
前記後部は、前記後身頃の上部両側から延出して、下腹部において互いに係止する帯体を有し、
前記前部は、前記帯体に係止することを特徴とする請求項３に記載の紙おむつ。
【請求項５】
前記前部は、前記帯体の外面に係止することを特徴とする請求項４に記載の紙おむつ。
【請求項６】
前記後部は、前記後身頃の下部から前記カバー部に亘って配置される後部吸収体を有することを特徴とする請求項３から５のうちいずれか一項に記載の紙おむつ。
【請求項７】
前記前部は、前記前身頃の下部に重点配置される前部吸収体を有することを特徴とする請求項３から６のうちいずれか一項に記載の紙おむつ。
【請求項８】
前記前部は、前記股下部に重点配置される前部吸収体を有することを特徴とする請求項３から６のうちいずれか一項に記載の紙おむつ。
【発明の詳細な説明】
【技術分野】
【０００１】
本発明は、紙おむつに関する。
【背景技術】
【０００２】
紙おむつは、吸収体を有する不織布により形成され、着用者の股部を立体的に覆う形状を有する。紙おむつは、下腹部を覆う前身頃、腰臀部を覆う後身頃、陰股部を覆う股下部からなる。
いわゆるテープタイプの紙おむつでは、後身頃の上部両側を前身頃に覆い被せて、テープや面ファスナーで後身頃と前身頃を連結する。いわゆるパンツタイプの紙おむつでは、後身頃の上部両側と前身頃の上部の左右両側が予め連結している。
【先行技術文献】
【特許文献】
【０００３】
【特許文献１】特開２０１５−０６２６１６号公報
【発明の概要】
【発明が解決しようとする課題】
【０００４】
大人用の紙おむつのうち、テープタイプの紙おむつは、要介護度が高い場合に主に用いられている。つまり、介護を必要とする人（着用者）が自力でおむつ交換ができず、寝ている体勢でおむつ交換する場合に用いられる。
おむつ交換は、介護する人と介護される人の両者に、身体的負担、精神的負担がかかる。特に、寝ている体勢でおむつを交換する場合には、両者の身体的負担が非常に大きい。
このような負担を減らすために、おむつ交換の頻度を減らす方法が提案されている。例えば、テープタイプの紙おむつと尿とりパッドを併用する方法がある。排尿したときに尿とりパッドだけを入れ替えるので、作業が楽であり、経済的負担も減らすことができる。
【０００５】
しかし、紙おむつと尿とりパッドを別個に用意する必要があり、また、尿とりパッドのサイズ選択や取り付け位置の調整が難しいという問題がある。尿とりパッドが大き過ぎると、紙おむつの履き心地が悪化したり、尿とりパッドを交換するときの身体的負担が大きくなったりする。尿とりパッドが小さすぎたり、尿とりパッドの取り付けが適切でなかったりすると、尿とりパッドから尿が漏れて紙おむつを交換するはめになる。
【０００６】
また、股間の皮膚トラブル（湿疹、あせも、かぶれ）を目視確認するときは、紙おむつを一旦取り外したり、紙おむつを引き下げたりする必要がある。このため、おむつ交換以外の作業においても、身体的負担等がかかる。
【０００７】
本発明は、交換作業などの容易化と交換頻度の低減を図ることができる紙おむつを提供することを目的とする。
【課題を解決するための手段】
【０００８】
本発明に係る紙おむつの第一実施態様は、股下部において前後方向に分離、連結できることを特徴とする。
【０００９】
本発明に係る紙おむつの第二実施態様は、第一実施態様において、下腹部を覆う前部と臀部を覆う後部を備え、前記前部と前記後部を分離、連結できることを特徴とする。
【００１０】
本発明に係る紙おむつの第三実施態様は、第二実施態様において、前記前部は、前身頃と、股下部と、を有し、前記後部は、後身頃と、前記股下部に係止するカバー部と、を有することを特徴とする。
【００１１】
本発明に係る紙おむつの第四実施態様は、第三実施態様において、前記後部は、前記後身頃の上部両側から延出して、下腹部において互いに係止する帯体を有し、前記前部は、前記帯体に係止することを特徴とする。
【００１２】
本発明に係る紙おむつの第五実施態様は、第四実施態様において、前記前部は、前記帯体の外面に係止することを特徴とする。
【００１３】
本発明に係る紙おむつの第六実施態様は、第三から第五実施態様のいずれかにおいて、前記後部は、前記後身頃の下部から前記カバー部に亘って配置される後部吸収体を有することを特徴とする。
【００１４】
本発明に係る紙おむつの第七実施態様は、第三から第六実施態様のいずれかにおいて、前記前部は、前記前身頃の下部に重点配置される前部吸収体を有することを特徴とする。
【００１５】
本発明に係る紙おむつの第八実施態様は、第三から第六実施態様のいずれかにおいて、前記前部は、前記股下部に重点配置される前部吸収体を有することを特徴とする。
【発明の効果】
【００１６】
本発明に係る紙おむつは、交換作業などの容易化と交換頻度の低減を実現できる。
【図面の簡単な説明】
【００１７】
【図１】本発明の実施形態に係るの紙おむつ１を示す斜視図である。
【図２】後部１０を示す図であって、（ａ）斜視図、（ｂ）展開図である。
【図３】前部２０を示す展開図であって、（ａ）男性用、（ｂ）女性用である。
【図４】紙おむつ１の装着手順を順に示す図である。
【図５】前部２０の交換手順を順に示す図である。
【発明を実施するための形態】
【００１８】
本発明の実施形態に係る紙おむつ１について説明する。
図１は、紙おむつ１を示す斜視図である。
紙おむつ１は、不織布からなり、着用者の下腹部から会陰部を経て臀部を覆う。この不織布の外面側には防水材が配置され、内面側には吸収体（後部吸収体６、前部吸収体７）が配置される。
【００１９】
紙おむつ１は、腰臀部を覆う後身頃１１、着用者の下腹部を覆う前身頃２１、陰股部を覆う股下部２５からなる。
後身頃１１と前身頃２１は、左右方向に延びる形状を有する。後身頃１１は、着用者の臀部から左右の腰側部を超えて、下腹部の近傍まで延びる。前身頃２１は、着用者の下腹部から左右の腰側部まで延びる。
また、後身頃１１と前身頃２１は、上下方向に延び、下端中央に向けて幅が徐々に狭くなる形状を有する。後身頃１１は、着用者の臀裂に沿って延びる。前身頃２１は、着用者の下腹部から陰部まで延びる。
後身頃１１と前身頃２１は、着用者の体の前面（陰部の含まれる部分）、背面（臀裂の部分）、左右側面（右臀部から右下腹部にかけての体側面、左臀部から左下腹部にかけての体側面）を覆う。
【００２０】
股下部２５は、後身頃１１と前身頃２１の間に配置される。股下部２５は、大腿部の内側付着部を通るように湾曲する。紙おむつ１は、後身頃１１と前身頃２１の下部から股下部２５の前後方向中央にかけて、幅が徐々に狭くなる。
【００２１】
図２は、後部１０を示す図であって、（ａ）斜視図、（ｂ）展開図である。
図３は、前部２０を示す展開図であって、（ａ）男性用、（ｂ）女性用である。
紙おむつ１は、臀部を覆う後部１０と、下腹部を覆う前部２０と、からなる。
後部１０は、後身頃１１とカバー部１５を有する。前部２０は、前身頃２１と股下部２５を有する。
カバー部１５と股下部２５は、ほぼ同一形状であり、股下部２５の外面にカバー部１５が重ねられる。股下部２５（または前身頃２１の下端）の外面に連結テープ２６が配置される。この連結テープ２６は、股下部２５とカバー部１５を繰り返し連結（係止）できる。カバー部１５は、股下部２５に対して密着した状態で連結される。
股下部２５とカバー部１５は予め連結された状態で提供される。股下部２５からカバー部１５（連結テープ２６）を引き剥がすことにより、紙おむつ１は、前部２０と後部１０に二分割（分離）される。
【００２２】
後部１０（後身頃１１）の上部両側には、一対の帯体１７が設けられる。各帯体１７は、一定幅の帯形状を有し、後身頃１１からそれぞれ左右方向に延びて、着用者の左右側面（体側面）から下腹部を覆う。一対の帯体１７は、下腹部において先端同士が重なり合う。
各帯体１７の先端には、それぞれ連結テープ１８が配置される。この連結テープ１８は、帯体１７同士を繰り返し連結（係止）できる。一対の帯体１７は、下腹部において、先端同士が密着した状態で連結される。
一対の帯体１７同士を下腹部において連結することにより、後部１０（後身頃１１）が着用者の臀部を覆うように装着される。
【００２３】
図２に示すように、後部１０の内面には、後部吸収体６が配置される。後部吸収体６は、主に糞の水分を吸収する。
後部吸収体６は、上下方向に延びる一定幅の帯形状を有する。後部吸収体６は、後身頃１１の中央からカバー部１５の中央に亘って配置される。
【００２４】
前部２０（前身頃２１）の上部は、下腹部に配置された一対の帯体１７の外面に密着する。前部２０の上部内面には、連結テープ２２が配置される。この連結テープ２２は、一対の帯体１７と前身頃２１を繰り返し連結（係止）できる。前身頃２１は、下腹部に配置された一対の帯体１７に対して密着した状態で連結される。
前身頃２１を下腹部において前身頃２１に対して連結することにより、前部２０（前身頃２１）が着用者の下腹部を覆うように装着される。
【００２５】
図３に示すように、前部２０の内面には、前部吸収体７が配置される。前部吸収体７は、主に尿を吸収する。
前部吸収体７には、前部吸収体７Ｍ，７Ｆの二種類がある。この前部吸収体７Ｍ，７Ｆのいずれか一方が前部２０に配置される。前部吸収体７Ｍは男性用、前部吸収体７Ｆは女性用である。
男性用の前部吸収体７Ｍと女性用の前部吸収体７Ｆは、ほぼ同一形状であり、上下方向が逆になるように配置される。
【００２６】
図２（ａ）に示すように、前部吸収体７Ｍは、主に前身頃２１の下部に配置される。前部吸収体７Ｍは、上下方向に延びる帯形状を有し、上部側は幅が広く、下部側は幅が狭い。前部吸収体７Ｍの上部側は、前身頃２１の下部に配置される。前部吸収体７Ｍの下部側は、股下部２５の上部に配置される。例えば、前部吸収体７Ｍは、体積の７０％が前身頃２１に、残りの３０％が股下部２５に配置される。
前部吸収体７Ｍを有する前部２０は、男性用前部となる。すなわち、男性用紙おむつを構成する。
【００２７】
図２（ｂ）に示すように、前部吸収体７Ｆは、主に股下部２５に配置される。前部吸収体７Ｆは、上下方向に延びる帯形状を有し、上部側は幅が狭く、下部側は幅が広い。前部吸収体７Ｆの上部側は、前身頃２１の下部に配置される。前部吸収体７Ｍの下部側は、股下部２５に配置される。例えば、前部吸収体７Ｆは、体積の３０％が前身頃２１に、残りの７０％が股下部２５に配置される。
前部吸収体７Ｆを有する前部２０は、女性用前部となる。すなわち、女性用紙おむつを構成する。
【００２８】
図４は、紙おむつ１の装着手順を順に示す図である。
紙おむつ１を装着するときは、まず、後部１０で着用者の腰臀部を覆う。
具体的には、図４（ａ）に示すように、後部１０の後身頃１１を着用者の臀部に密着し、一対の帯体１７を腰にまわす。一対の帯体１７を下腹部において重ね合わせて、一対の帯体１７同士を連結テープ１８で連結する。
そして、後部１０のカバー部１５を、着用者の大腿に沿って延ばす。
【００２９】
次に、後部１０に対して前部２０を連結する。
具体的には、図４（ｂ）に示すように、カバー部１５に対して股下部２５を重ね合わせて、カバー部１５と股下部２５を連結テープ２６で連結する。
後部１０のカバー部１５を延ばした状態で、前部２０の股下部２５を重ね合わせて連結する。着用者が寝ている体勢であっても、床面においてカバー部１５に股下部２５を重ねるだけなので、連結作業が容易である。
なお、紙おむつ１が新品（未使用）の場合には、この作業（後部１０と前部２０を連結する作業）は不要である。股下部２５とカバー部１５が予め連結された状態で提供されるからである。
【００３０】
最後に、紙おむつ１をパンツ形状にする。
具体的には、図４（ｃ）に示すように、前部２０の前身頃２１を後部１０の帯体１７に連結する。下腹部において重ね合わせた一対の帯体１７に対して、さらに前身頃２１を重ね合わせて、帯体１７と前身頃２１を連結テープ２２で連結する。着用者が寝ている体勢であって、下腹部において帯体１７に前身頃２１を重ね合るだけなので、作業が容易である。
これにより、紙おむつ１がパンツ形状になって、着用者の股間に装着される。
【００３１】
図５は、前部２０の交換手順を順に示す図である。
着用者が排尿したときは、紙おむつ１を完全に交換せずに、前部２０のみを交換する。
まず、着用者が寝ている体勢でカバー部１５を着用者の足先方向に引っ張る。これにより、連結テープ２６が剥がれて、カバー部１５が股下部２５から分離する。
さらに、カバー部１５を着用者の前方向に引き上げる。これにより、連結テープ２２が剥がれて、帯体１７から前身頃２１が分離する。
このようにして、前部２０が後部１０から完全に分離する。
【００３２】
次に、後部１０に対して、未使用の前部２０を連結する。この手順は、上述した手順と同一である（図４（ｂ）参照）。
最後に、紙おむつ１をパンツ形状にする。この手順は、上述した手順と同一である（図４（ｃ）参照）。
これにより、紙おむつ１がパンツ形状になって、着用者の股間に装着される。尿を吸収した前部２０が未使用の前部２０に交換される。
【００３３】
着用者が排便したときは、前部２０と後部１０を分離することなく、紙おむつ１を完全に交換する。つまり、未使用の紙おむつ１に交換する。
【００３４】
このように、紙おむつ１は、股下部２５を前後方向に分離、連結できる。言い換えると、紙おむつ。股下部２５を境にして、下腹部を覆う前部２０と臀部を覆う後部１０に分離し、連結できる。紙おむつ１を股下部２５において前後方向に開閉（分離、連結）できるので、排便や排尿の有無、皮膚トラブル等を容易に目視確認することができる。
そして、着用者が排尿したときは、紙おむつ１を完全に交換せずに、前部２０のみを交換する。紙おむつ１の半分を交換するだけなので、経済的負担を軽減できる。また、おむつ交換（装着、着脱）の身体的負担も軽減できる。
【００３５】
前部２０は、股下部２５を有するので、着用者の排尿を確実に捕らえることができる。このため、着用者が排尿したときは、前部２０のみを交換すれば足りる。
後部１０は、股下部２５を覆うカバー部１５を有するので、尿を含んだ股下部２５を支持して、股下部２５の垂下りを防止できる。また、着用者が寝ている体勢であっても、床面においてカバー部１５に股下部２５を重ねるだけなので、連結作業が容易になる。
【００３６】
後部１０は、後身頃１１の上部両側（左右）から延出する一対の帯体１７を有し、この一対の帯体１７を下腹部において互いに重ねて連結する。このため、後部１０のみを着用者の臀部に装着することができる。
また、下腹部において帯体１７に対して前身頃２１を重ねて連結するので、後部１０と前部２０を容易に連結することができる。特に、前部２０は、帯体１７の外面に連結するので、後部１０と前部２０の連結作業が容易になる。
【００３７】
後部１０の後部吸収体６は、後身頃１１の下部からカバー部１５に亘って配置される。このため、排便を漏らさずに吸収することができる。
【００３８】
前部２０の前部吸収体７Ｍは、前身頃２１の下部に重点配置されるので、男性用紙おむつ１として好適である。
前部２０の前部吸収体７Ｆは、股下部２５に重点配置されるので、女性用紙おむつ１として好適である。
【００３９】
本発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
【００４０】
紙おむつは、前部２０が股下部２５を有し、後部１０がカバー部１５を有する場合に限らない。紙おむつは、前部２０がカバー部１５を有し、後部１０が股下部２５を有する場合であってもよい。
【００４１】
下腹部において帯体１７同士を重ねて連結する場合に限らない。一対の帯体１７は、互いに重なることなく、前身頃２１にそれぞれ重なって連結する場合であってもよい。
前部２０は、帯体１７の内面に連結する場合であってもよい。
【００４２】
連結テープ１８，２２，２６は、粘着テープの他、面ファスナー等であってもよい。すなわち、連結テープ１８，２２，２６は、繰り返し使用（分離、連結）できる係止手段であればよい。
【符号の説明】
【００４３】
１  紙おむつ  
６  後部吸収体  
７，７Ｆ，７Ｍ  前部吸収体  
１０  後部  
１１  後身頃  
１５  カバー部  
１７  帯体  
１８  連結テープ  
２０  前部  
２１  前身頃  
２２  連結テープ  
２５  股下部  
２６  連結テープ    
【図１】
2019013603.tif 000003
【図２】
2019013603.tif 000004
【図３】
2019013603.tif 000005
【図４】
2019013603.tif 000006
【図５】
2019013603.tif 000007
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
前身頃および股下部を有して下腹部を覆う前部と、
後身頃、前記後身頃の下部から延出するカバー部および前記後身頃の上部両側から延出する一対の帯体を有して臀部を覆う後部と、
を備え、
前記一対の帯体同士が着用者の下腹部において重ね合わせて連結され、
前記カバー部が前記股下部の外面に重ね合わせて連結され、
前記前身頃が前記一対の帯体の外面に重ね合せて連結され、
前記着用者が寝ている体勢で、前記着用者から前記後部を取り外すことなく、前記前部のみを交換できる紙おむつ。
【請求項２】
前記後部は、前記後身頃の下部から前記カバー部に亘って配置される後部吸収体を有することを特徴とする請求項１に記載の紙おむつ。
【請求項３】
前記前部は、前記前身頃の下部に配置される前部吸収体を有することを特徴とする請求項１または２に記載の紙おむつ。
【請求項４】
前記前部は、前記股下部に配置される前部吸収体を有することを特徴とする請求項１または２に記載の紙おむつ。
【請求項５】
前身頃および前記前身頃の下部から延出するカバーを有して下腹部を覆う前部と、
後身頃、股下部および前記後身頃の上部両側から延出する一対の帯体を有して臀部を覆う後部と、
を備え、
前記一対の帯体同士が着用者の下腹部において重ね合わせて連結され、
前記カバー部が前記股下部の外面に重ね合わせて連結され、
前記前身頃が前記一対の帯体の外面に重ね合せて連結され、
前記着用者が寝ている体勢で、前記着用者から前記後部を取り外すことなく、前記前部のみを交換できる紙おむつ。